(57)【要約】標的タンパク質による認識に必要な構造をとらせることができ、正確なローディング量を達成することができ、微量の標的タンパク質を正確、かつ簡便に測定することができる、標的タンパク質測定用ペプチド固定化基板が開示されている。本発明の標的タンパク質測定用ペプチド固定化基板は、所期の立体構造又は標的タンパク質との結合能を有する化学合成されたペプチドであって、標的タンパク質と結合することが可能なペプチドを基板上に固定して成る。
2002090985.tif 000002
【特許請求の範囲】
【請求項１】
所期の立体構造又は標的タンパク質との結合能を有する化学合成されたペプチドであって、標的タンパク質と結合することが可能なペプチドを基板上に固定して成る標的タンパク質測定用ペプチド不動化基板。
【請求項２】
前記ペプチドは、標的タンパク質と結合することにより信号が変化する標識により標識されている請求項１記載のペプチド不動化基板。
【請求項３】
前記ペプチドは、所期の立体構造をとるように分子デザインされたアミノ酸配列を有する請求項１又は２記載のペプチド不動化基板。
【請求項４】
前記ペプチドを構成するアミノ酸の数が３〜５０個である請求項１ないし３のいずれか１項に記載のペプチド不動化基板。
【請求項５】
前記標識は、ペプチドを構成する特定位置のアミノ酸に結合された蛍光標識である請求項２ないし４のいずれか１項に記載のペプチド不動化基板。
【請求項６】
２種類の蛍光標識が、それぞれ異なる特定位置のアミノ酸に結合されている請求項５記載のペプチド不動化基板。
【請求項７】
前記標識は、前記ペプチドの一端部又は両端部に結合されている請求項２ないし５のいずれか１項に記載のペプチド不動化基板。
【請求項８】
前記ペプチドは、アミノ酸の側鎖の官能基を保護してペプチド合成されたものであり、かつ、該官能基を保護した状態で基板に結合することにより、所望の位置で基板に結合され、結合後、前記官能基を脱保護されたものである請求項１ないし７のいずれか１項に記載のペプチド不動化基板。
【請求項９】
前記ペプチドは、その一端に基板と化学結合する官能基を有し、該官能基を介して基板に結合される請求項１ないし７のいずれか１項に記載のペプチド不動化基板。
【請求項１０】
前記ペプチドの一端がシステインであり、該システインのスルフィドリルを介して基板に結合される請求項９記載のペプチド不動化基板。
【請求項１１】
前記ペプチドは、前記基板に共有結合により結合されている請求項１ないし１０のいずれか１項に記載のペプチド不動化基板。
【請求項１２】
前記ペプチドは、標的タンパク質との結合に供されるコア領域と、基板との結合、及び標識を有する場合には該標識との結合に供される結合領域とを含み、前記コア領域は、標的タンパク質との結合に最適な立体構造を有する請求項１ないし１１のいずれか１項に記載のペプチド不動化基板。
【請求項１３】
複数種類の前記ペプチドが単一の基板上の所定の位置にそれぞれ固定されている請求項１ないし１２のいずれか１項に記載のペプチド不動化基板。
【請求項１４】
請求項１ないし１３のいずれか１項に記載のペプチド不動化基板と、前記標的タンパク質を接触させ、前記ペプチドに結合した標的タンパク質を、前記信号の変化により測定する、標的タンパク質の測定方法。
【請求項１５】
所期の立体構造又は標的タンパク質との結合能を有する又は有する可能性がある化学合成されたペプチドであって、標的タンパク質と結合することが可能な又は可能かもしれない複数の化学合成ペプチドを同一又は異なる基板上に固相化したものと、該標的タンパク質を含むかもしれない被検試料とを反応させる工程と、ペプチドと標的タンパク質との結合により変化する信号を測定する工程と、各ペプチドについて測定した値を、測定値に応じて違いが肉眼で認識できるデータに変換し、各ペプチドについての視認可能なデータを並べて出力する工程とを含む、被検試料中のタンパク質の測定方法。
【請求項１６】
前記視認可能な物理量は、色相、明度及び／又は彩度であり、各ペプチドについての前記測定値に応じて肉眼で色の違いが認識できる請求項１５記載の方法。
【請求項１７】
複数の標的タンパク質に結合する複数の化学合成ペプチドが固相化されている請求項１５又は１６記載の方法。
【請求項１８】
種々の被検試料について請求項１５又は１６記載の方法を行い、出力された測定データを蓄積してデータベース化し、未知試料についての測定データを、データベース化された測定データと比較して未知試料の同定又は特徴付けを行う、被検試料中のタンパク質の同定又は特徴付け方法。
【請求項１９】
前記複数のペプチドのうちの少なくとも一部は、それぞれのペプチド中の少なくとも一部のアミノ酸配列がランダムな配列を有する請求項１５ないし１８のいずれか１項に記載の方法。
【請求項２０】
前記複数の化学合成ペプチドの少なくとも一部は、標的タンパク質と結合することにより信号が変化する標識により標識されている請求項１５ないし１９のいずれか１項に記載の方法。
【請求項２１】
前記複数の化学合成ペプチドの少なくとも一部は、所期の立体構造をとるように分子デザインされたアミノ酸配列を有する請求項１５ないし２０のいずれか１項に記載の方法。
【請求項２２】
前記複数の化学合成ペプチドを構成するアミノ酸の数が３〜５０個である請求項１５ないし２１のいずれか１項に記載の方法。
【請求項２３】
前記標識は、ペプチドを構成する特定位置のアミノ酸に結合された蛍光標識である請求項１９ないし２１のいずれか１項に記載の方法。
【請求項２４】
２種類の蛍光標識が、単一のペプチドのそれぞれ異なる特定位置のアミノ酸に結合されている請求項２３記載の方法。
【請求項２５】
前記標識は、前記単一のペプチドの一端部又は両端部に結合されている請求項２４記載の方法。
【請求項２６】
前記複数の化学合成ペプチドは、アミノ酸の側鎖の官能基を保護してペプチド合成されたものであり、かつ、該官能基を保護した状態で基板に結合することにより、所望の位置で基板に結合され、結合後、前記官能基を脱保護されたものである請求項１５ないし２５のいずれか１項に記載の方法。
【請求項２７】
前記複数の化学合成ペプチドは、その一端に基板と化学結合する官能基を有し、該官能基を介して基板に結合される請求項１５ないし２６のいずれか１項に記載の方法。
【請求項２８】
前記複数の化学合成ペプチドの一端がシステインであり、該システインのスルフィドリルを介して基板に結合される請求項２７記載の方法。
【請求項２９】
前記複数の化学合成ペプチドは、前記基板に共有結合により結合されている請求項１５ないし２８のいずれか１項に記載の方法。
【請求項３０】
前記複数の化学合成ペプチドの少なくとも一部は、標的タンパク質との結合に供されるコア領域と、基板との結合、及び標識を有する場合には該標識との結合に供される結合領域とを含み、前記コア領域は、標的タンパク質との結合に最適な立体構造を有する請求項１５ないし２９のいずれか１項に記載の方法。
【発明の詳細な説明】
技術分野
本発明は、標的タンパク質を測定するためのペプチド固定化基板及びそれを用いた標的タンパク質の測定方法に関する。
背景技術
生体内に存在するするタンパク質の機能解析は重要な課題である。これら発現タンパク質に関する同定・定量法は研究分野における細胞機能の解明等から医療における診断治療まで社会的に広い要求度を満たすものである。タンパク質の同定・定量の手段として抗体を用いる手法や特定タンパク質をアレイにするなどの様々なバイオセンサーシステムが知られている。
従来のプロテインチップ開発のコンセプトは、構造既知のタンパク質あるいはタンパク質を部分フラグメント化したペプチド断片の固定化である。抗体分子の固定化も同様である。この方法では固定化のローディング量の定量性に問題があり、均一な固定化が困難である。特に固定化の収量（ローディング量）は一般に低く、さらにペプチドフラグメントの性質に依存しているため、確実性に欠け、汎用化・普及化に難点がある。また、部分フラグメント化では、切断における特異性（特異性無しではランダム断片となりチップ固定化の場合に固定化された分子の特定ができない）による切断部位の制限が生じ、自由なデザインはできない。また、このようにして固定化されたタンパク質は実際には生体での構造とは異なる構造となり、目的の認識を起こさせるために不可欠な構造をとらない可能性もある。これらは実用上の難点となっている。
また、従来、溶液中で例えば蛍光光度計等を用いてペプチドタンパク質の相互作用を検定する方法が知られているが、この方法では相当量のサンプルが必要であり、従ってサンプル調製に多大な時間を要した。最近では表面プラズモンなどの手法も用いられるが装置が高額であること、感度が一般に低いこと、また遠隔地で簡便に測定することは不可能である。従って、従来の方法では多数のサンプルの処理に難点があった。
発明の開示
本発明の目的は、標的タンパク質による認識に必要な構造をとらせることができ、正確なローディング量を達成することができ、微量の標的タンパク質を正確、かつ簡便に測定することができる、標的タンパク質測定用ペプチド固定化基板を提供することである。
本願発明者らは、鋭意研究の結果、所期の立体構造又は標的タンパク質との結合能を有する化学合成されたペプチドであって、標的タンパク質と結合することが可能なペプチドを基板上に固定したペプチド固定化基板により上記目的が達成できることを見出し、本発明を完成した。さらに、複数の化学合成ペプチドを基板に固相化し、該標的タンパク質を含むかもしれない被検試料とを反応させ、各ペプチドについて測定した信号に、視認可能な物理量を割り当て、各ペプチドについての視認可能な測定データを並べて出力することにより、容易、簡便に被検試料中のタンパク質を測定することができ、また、未知の被検試料中に含まれるタンパク質の同定又は特徴付が可能となることに想到して本発明を完成した。
すなわち、本発明は、所期の立体構造又は標的タンパク質との結合能を有する化学合成されたペプチドであって、標的タンパク質と結合することが可能なペプチドを基板上に固定して成る標的タンパク質測定用ペプチド固定化基板を提供する。また、本発明は、上記本発明のペプチド固定化基板と、前記標的タンパク質を接触させ、前記ペプチドに結合した標的タンパク質を、前記信号の変化により測定する、標的タンパク質の測定方法を提供する。さらに、本発明は、所期の立体構造又は標的タンパク質との結合能を有する又は有する可能性がある化学合成されたペプチドであって、標的タンパク質と結合することが可能な又は可能かもしれない複数の化学合成ペプチドを同一又は異なる基板上に固相化したものと、該標的タンパク質を含むかもしれない被検試料とを反応させる工程と、ペプチドと標的タンパク質との結合により変化する信号を測定する工程と、各ペプチドについて測定した信号に、視認可能な物理量を割り当て、各ペプチドについての視認可能な測定データを並べて出力する工程とを含む、被検試料中のタンパク質の測定方法を提供する。さらに、本発明は、種々の被検試料について上記した複数の化学合成ペプチドを用いる本発明の測定方法を行い、出力された測定データを蓄積してデータベース化し、未知試料についての測定データを、データベース化された測定データと比較して未知試料の同定又は特徴付けを行う、被検試料中のタンパク質の同定又は特徴付け方法を提供する。
本発明により微量の標的タンパク質を正確、かつ簡便に測定することができる、新規な標的タンパク質測定用ペプチド固定化基板が提供された。本発明のペプチド固定化基板は、ペプチドが化学合成されたものであり、アミノ酸の側鎖の官能基を保護あるいは無保護の状態で基板に固定化することができ、すなわち、ペプチドの特定の位置で基板に固定化することができ、有効な固定化量を任意にコントロールすることができる。また、ペプチドのデザインは自由に行うことができ、任意の位置に任意の標識や機能性分子団を結合させたり、天然のタンパク質中には存在しないアミノ酸を含むペプチドを用いることができる。また、本発明のフィンガープリント法によれば、被検試料中に含まれるタンパク質の同定又は特徴付けが容易、迅速に行うことができ、また、多数の被検試料や未知の被検試料についても測定可能である。
発明を実施するための最良の形態
本発明において、基板上に固定されるペプチドは、所期の立体構造又は標的タンパク質との結合能を有する化学合成されたペプチドである。天然に存在する多くのタンパク質は、特定の立体構造を有するオリゴペプチドを分子認識して結合する性質を有している（文献：Ｗ．Ｅ．Ｓｔｉｔｅｓ，Ｃｈｅｍ  Ｒｅｖ，９７，１２３３−１２５０（１９９７），ｐｒｏｔｅｉｎ−ｐｒｏｔｅｉｎ構造と結合の熱力学：Ｐｒｏｔｅｉｎ−ｐｒｏｔｅｉｎ  ｉｎｔｅｒａｃｔｉｏｎｓ：Ｉｎｔｅｒｆａｃｅ  ｓｔｒｕｃｔｕｒｅ，ｂｉｎｄｉｎｇ  ｔｈｅｒｍｏｄｙｎａｍｉｃｓ，ａｎｄ  ｍｕｔａｔｉｏｎａｌ  ａｎａｌｙｓｉｓ；Ｄ．Ｐ．Ｆａｉｒｌｉｅ  ｅｔ  ａｌ，Ｃｕｒｒ．Ｍｅｄｉｃｉｎａｌ  Ｃｈｅｍ．，５，２９−６２（１９９８）Ｔｏｗａｒｄ  ｐｒｏｔｅｉｎ  ｓｕｒｆａｃｅ  ｍｉｍｅｔｉｃｓタンパク質立体構造の表面を模倣したペプチド設計とターゲットタンパク質との相互作用；Ａ．Ｇ．Ｃｏｃｈｒａｎ，Ｃｈｅｍ  ＆  Ｂｉｏｌ，７，Ｒ８５−Ｒ９４（２０００）Ａｎｔａｇｏｎｉｓｔ  ｏｆ  ｐｒｏｔｅｉｎ−ｐｒｏｔｅｉｎ  ｉｎｔｅｒａｃｔｉｏｎｓ）。そして、どのタンパク質がどのような立体構造を有するオリゴペプチドと結合するかは決まっている。本発明で用いるペプチドは、まず第１に、このような特定の立体構造を有するペプチドである。タンパク質と結合するオリゴペプチドの立体構造としては、α−ヘリックス、α−ループ−α、β−ターン、β−ループ−β、β−ストランド等、種々の立体構造がある。基板に固定するペプチドとしては、このような特定の立体構造を有するペプチドが挙げられる。なお、これらの立体構造は、標的タンパク質と結合した状態で当該ペプチドがとる構造であり、ペプチドが単に基板上に固定されている状態では必ずしもこのような立体構造をとるものではない。本発明で言う、「所期の立体構造を有する」とは、標的タンパク質と結合した状態において所期の立体構造を有するという意味である。なお、ペプチドの所期の立体構造は、ペプチド全体がとる必要はなく、ペプチドの大部分の領域（好ましくはアミノ酸数で６０％以上、さらに好ましくは７０％以上の領域）が所期の立体構造を有していればよい。従って、ペプチドの一端部又は両端部には、後述する標識を結合することができ、それによってその部分が所期の立体構造の形成に関与していなくてもよい。むしろ、基板と結合したり標識を結合したりする領域（以下、「結合領域」と言うことがある）と、標的タンパク質との結合に供する領域とを分離し、標的タンパク質との結合に供する領域（以下、「コア領域」と言うことがある）は、当該結合にとって最適の立体構造を有していることが好ましい。この場合、コア領域の一端又は両端に、結合領域が付加されていることが好ましい。また、上記の立体構造を有するペプチドは、環状に形成されていてもよい。環状に形成することにより、タンパク質との結合アフィニティが大きく向上する場合がある。なお、ペプチド抗原を化学合成してペプチドとして用い、抗体を測定することも可能であるが、ペプチドと標的タンパク質との結合は、抗原抗体反応である必要は全くない。
上記した各立体構造を有するオリゴペプチドと結合するタンパク質としては、次のようなものが例示できる。すなわち、α−ヘリックス構造を有するオリゴペプチドと結合するタンパク質としてはカルモジュリン、ＨＩＶのｇｐ４１タンパク質；β−ループ構造を有するオリゴペプチドと結合するタンパク質としてはアミラーゼ；βストランドペプチドと結合するタンパク質としてはＭＨＣタンパク質、アスパラギン酸プロテアーゼ、ＨＩＶ−１プロテアーゼ、システインプロテアーゼ、メタロプロテアーゼ、セリンプロテアーゼ；β−ループ−β、βターンペプチドと結合するタンパク質としてはフィブロネクチン、ＬＨ−ＲＨレセプター、ｓｕｂｓｔａｎｃｅ  Ｐレセプター、ソマトスタチンレセプター等を挙げることができるがこれらに限定されるものではない。
ペプチドとしては、上記した所期の立体構造を有するものに加え、例えばタンパク質との相互作用が知られている有機分子団（機能性分子団）を特定位置に導入したような、標的タンパク質との結合能を有するペプチド誘導体であってもよい。このような機能性分子団の例として、ポルフィリン誘導体（ヘム）、フラビン誘導体、レチナールやパルミチル基等のアルキル基、核酸塩基、ペプチド核酸等を挙げることができるがこれらに限定されるものではない。
これらの機能性分子団と結合するタンパク質としては、例えば、ポルフィリン誘導体（ヘム）含有ペプチドと結合するタンパク質としてアポヘムタンパク質、フラビン誘導体含有ペプチドと結合するタンパク質としてアポフラビンタンパク質、レチナールやパルミチル基等のアルキル基を含有ペプチドと結合するタンパク質としてリポカリン属、核酸塩基を含有ペプチドと結合するタンパク質としてＤＮＡ分解酵素、ＲＮＡ分解酵素、各種遺伝子機能制御タンパク質、ＲＮＡ結合性タンパク質等が挙げられるがこれらに限定されるものではない。
所期の立体構造を有するペプチド又は標的タンパク質との結合能を有するペプチドを基板上に固定した本発明のペプチド固定化基板の概念を図１に模式的に示す。
特定の立体構造をとらせるために、アミノ酸配列をどのようにすればよいかということは現在の技術ではコンピューターを用いて容易に決定することができる。このような分子設計を行うコンピューターソフトは市販されており、市販のコンピューターソフトを用いて、所期の立体構造を有するペプチドの配列を容易に決定することができる。なお、ペプチドのサイズは特に限定されないが、通常、アミノ酸数で２〜５０個程度が好ましく、さらに好ましくは５〜２０個程度である。
基板上に固定化されたペプチドに結合した標的タンパク質は、種々の方法で測定することができる。例えば、固定化するペプチドを、標的タンパク質と結合することにより信号が変化する標識により標識しておき、その標識の変化に基づいて、標的タンパク質を測定する方法、表面プラズモン共鳴法、表面プラズモン共鳴法においてプリズムを用いない１変法であるＧｒａｔｉｎｇ法、質量分析法等を採用することができるが、これらに限定されるものではない。これらのうち、固定化するペプチドを、標的タンパク質と結合することにより信号が変化する標識により標識しておき、その標識の変化に基づいて、標的タンパク質を測定する方法が最も高感度で再現性が高く、好ましい。
上記の通り、本発明で用いるペプチドは、標的タンパク質と結合することにより信号が変化する標識により標識されていることが好ましい。このような標識の例として、蛍光標識、スピン標識、紫外光・可視光吸収色素、ラジオアイソトープ、安定同位体、化学発光反応を起こさせる酵素（アルカリフォスファターゼ、アシッドフォスファターゼ、ルシフェラーゼ、グリーンフルオレッセンスタンパク質等）等を挙げることができるがこれらに限定されるものではない。これらのうち蛍光標識が最も好ましい。蛍光標識としては、フルオレッセイン、及びカルボキシフルオレッセインのような、フルオレッセイン構造を有するその誘導体、ダンシル基やエチルダンシル基、およびそれらのようにダンシル基構造を有するその誘導体、クマリン誘導体、ピレン誘導体、ナフタレン誘導体等等を挙げることができるがこれらに限定されるものではない。なお、これらの蛍光標識用試薬自体は周知であり、多くのものは市販もされている。また、市販の蛍光色素をアミノ基等のアミノ酸中の置換基に結合してアミノ酸を標識する方法自体は周知である。例えば、実施例１に記載した操作と同様にリシンやグルタミン酸あるいはシステイン残基側鎖やペプチドのアミノ末端やカルボキシル末端に共有結合により導入することがより容易に行うことができる。また合成に用いる各種の蛍光標識ビルディングブロックが米国Ｍｏｌｅｃｕｌａｒ  Ｐｒｏｂｅ社等から市販されており、これらを購入してそのまま使用することも可能である。
蛍光標識するために用いられる好ましい例として、テトラメチルローダミン及びカルボキシフルオレッセインの化学構造を下記式［Ｉ］及び［ＩＩ］にそれぞれ示す。
2002090985.tif 000003
2002090985.tif 000004
上記した標識は、ペプチドと標的タンパク質とが結合することによって、標識が発する信号が変化する。単一の標識をペプチドに結合させている場合でも変化するが、複数の異なる標識をペプチドの異なる位置に結合しておくと、信号の変化をより鋭敏に検出することができ、検出感度をより高めることができ、好ましい。特に好ましい態様では、蛍光波長の異なる２種類の蛍光色素をペプチドの異なる位置に結合する。このようにすることによって、蛍光共鳴エネルギー移動系（ＦＲＥＴ）を利用して鋭敏な検出が可能になる。なお、ＦＲＥＴを実現するための好ましい蛍光標識の組合せとして、フルオレッセイン誘導体とローダミン誘導体、ダンシル誘導体とフルオレッセイン誘導体、ピレン誘導体とフルオレッセイン誘導体等が挙げることができるがこれらに限定されるものではない。またＦＲＥＴと同様の機構を利用する蛍光消光系のための好ましい蛍光標識の組合せとして、ダンシル誘導体とダブシル誘導体、ピレン誘導体とニトロベンゼン誘導体等を挙げることができるがこれらに限定されるものではない。
標識を結合する位置は、ペプチドの一端部又は両端部が好ましく、両端部にそれぞれ異なる標識、好ましくは蛍光波長の異なる２種類の蛍光標識を結合することが好ましい。
また、ペプチドの一端は、基板に結合するためのシステインであるペプチドが好ましい。
従って、好ましいペプチドの一例として、図２に示す構造を有するものを挙げることができる。図２中、Ａ、Ｂ、はその側鎖に蛍光標識を導入したアミノ酸残基である。この場合はＣｙｓ残基側鎖のスルフィドリルを介して基板に上記ペプチド鎖を固定化する。
図２に示すペプチドの好ましい例として、Ｂをそのε位にテトラメチルローダミンを導入したＬｙｓ残基とし、Ａをそのε位にフルオレセインを導入したＬｙｓ残基としたものを挙げることができる。このような構造とすることにより２種の異なる蛍光基団をペプチド鎖の両端に持つ標識ペプチドとなり、ＦＲＥＴ法による測定が可能となる。なお、Ａ，Ｂのアミノ酸残基の所はＬｙｓのみではなく、Ｏｒｎ（オルニチン）やＧｌｕ（グルタミン酸）、システインなど反応性の比較的高い官能基をもつ化合物であれば何でも良い。この反応性の高い官能基を利用して標識用の基団を導入することにより、ビルディングブロックができる。また、当該立体構造をとるペプチド配列中に同様の反応性の側鎖官能基が無ければペプチド合成（アミノ酸残基のアッセンブリー）のあとで位置特異的に標識基を導入することも可能である。これらの合成法はペプチド合成化学では定法である。下記表１に記述したが、Ｃｙｓに限らす、表１に示す組み合わせの官能基の片方が使える、すなわち当該立体構造をとるペプチド配列中に同様の反応性の側鎖官能基が無ければ位置特異的に固定化が可能である。また、Ｃｙｓなど固定化に用いる残基はＣ末端（上図のＢの後に配置する事もできる）。すなわち、図２に示される２個の構造のうちの下側に示される構造とすることもできる。なお、図２中、「立体構造をとるペプチド鎖」と記載されている部分が上記コア領域に該当する。
本発明に用いるペプチドは、化学合成したものである。化学合成したペプチドを用いることにより、アミノ酸の側鎖の官能基を保護した状態でペプチドを合成し、かつ、合成されたペプチドを位置特異的に基板に結合させることができる。固定化するペプチドは保護ペプチドの場合は固定化後に脱保護する。フリーのペプチド（無保護のペプチド）を固定化する事も可能である。たとえば末端にＣｙｓ残基を配置したり、アビジン・ビオチンの片方を末端に配置したりする事によって無保護でも容易に特定位置での結合が可能である（下記表１参照）。これにより、ペプチドは、所定の位置で基板に結合させることができ、基板への有効な（すなわち、所期の立体構造をとり得る）固定化量を任意にコントロールすることができる。なお、保護された官能基は、ペプチドを基板に結合した後、通常、脱保護される。すなわち、特に相互作用をするタンパク質と出会った時に、所期の立体構造をとり得ない位置でペプチドが基板に結合されることを確実に防止することができる。また、ペプチドを化学合成することにより、合成後に容易に精製、検定を行うことができ、基板への固定化量を確実にコントロールすることができる。さらに、上記した機能性分子団や、標識を容易にアミノ酸に導入することができ、ひいてはペプチドに結合させることができる。さらに、特定の立体構造をとるために、天然のタンパク質中には存在しないアミノ酸を用いることが好ましい場合には、そのようなアミノ酸を容易にペプチドに組み入れることができる。従って、ペプチド鎖を構成するアミノ酸残基の全部又は一部がＤアミノ酸等の非天然アミノ酸であるペプチド、あるいはヘム、フラビン・アルキル鎖等アミノ酸以外の機能性基を含有するペプチド等も固定化ペプチドとして採用することができ、測定の自由度が大幅に高まる。
ペプチドの化学合成自体は周知の方法で行うことができ、市販のペプチド合成機を用いて容易に行うことができる。この場合、上記のように、アミノ酸の側鎖の官能基を保護した状態で行うことが好ましい。なお、アミノ酸の側鎖の官能基を保護する方法自体は周知であり、例えば、軒原清史、有機合成化学協会誌、５２，３４７−３５８，１９９４、「高効率ペプチド合成：多種品目同時自動合成とペプチドライブラリー」；軒原清史、横溝義男、島津評論、５２、１−８、１９９５、「Ｆｍｏｃ−ｔＢｕストラテジーによる合成ペプチドの切り出し法」；軒原清史、島津評論、５０，１３−２４，１９９３，「高効率ペプチド固相法合成のための試薬」；軒原清史、島津評論、５０，３−１２，１９９３，「ペプチド化学合成の基礎」；軒原清史、山本林太郎、狭間  一、中村伸、島津評論、５０，３３−４３，１９９３「実用的多種品目自動ペプチド合成機ＰＳＳＭ−８の開発」；Ｋ．Ｎｏｋｉｈａｒａ，Ｒ．Ｙａｍａｍｏｔｏ，Ｍ．Ｈａｚａｍａ，Ｏ．Ｗａｋｉｚａｗａ，Ｓ．Ｎａｋａｍｕｒａ，ａｎｄ  Ｍ．Ｙａｍａｇｕｃｈｉ，Ｐｅｐｔｉｄｅ  Ｃｈｅｍｉｓｔｒｙ  １９９１，ｅｄ．，Ａ．Ｓｕｚｕｋｉ，Ｐｒｏｔｅｉｎ  Ｒｅｓｅａｒｃｈ  Ｆｏｕｎｄａｔｉｏｎ，Ｏｓａｋａ，２０３−２０８，１９９２，″Ｄｅｖｅｌｏｐｍｅｎｔ  ａｎｄ  Ａｐｐｌｉｃａｔｉｏｎｓ  ｏｆ  ａ  Ｎｏｖｅｌ  ａｎｄ  Ｐｒａｃｔｉｃａｌ  Ｓｉｍｕｌｔａｎｅｏｕｓ  Ｍｕｌｔｉｐｌｅ  Ｓｏｌｉｄ  Ｐｈａｓｅ  Ｐｅｐｔｉｄｅ  Ｓｙｎｔｈｅｓｉｚｅｒ″；Ｃｈａｎ，Ｗ．Ｃ．；Ｗｈｉｔｅ，Ｐ．Ｄ．Ｆｍｏｃ  Ｓｏｌｉｄ  Ｐｈａｓｅ  Ｐｅｐｔｉｄｅ  Ｓｙｎｔｈｅｓｉｓ：Ａ  Ｐｒａｃｔｉｃａｌ  Ａｐｐｒｏａｃｈ；Ｏｘｆｏｒｄ  Ｕｎｉｖｅｒｓｉｔｙ  Ｐｒｅｓｓ：Ｎｅｗ  Ｙｏｒｋ，２０００；ｐｐ  ４１−７６．等に記載されている方法等により容易に行うことができる。
化学合成したペプチドを、次に基板に固定化する。これは、例えば、ペプチドのアミノ基やカルボキシル基等を基板上のアミノ基やカルボキシル基等と反応させて共有結合させることにより好ましく行うことができる。あるいは、ペプチドにビオチン又はアビジンを結合し（これは所望のアミノ酸の側鎖の官能基を介して常法により行うことができる）、基板上に固定化されたアビジン又はビオチンと結合させることもできる。基板上への固定化に利用できる、基板上の官能基（及び物質）と、ペプチド上の官能基（及び物質）の組合せの例を下記表１に示す。なお、表１に示す官能基（又は物質）同士の反応によりペプチドを基板上に固定化する方法自体は周知である。また、表１に示される官能基（又は物質）を有する基板の調製方法も周知であり、市販もされており、市販の基板を好ましく用いることができる。
2002090985.tif 000005
なお、基板に固定化する各ペプチドの量は、何ら限定されるものではなく、被検試料中に含まれる標的タンパク質の濃度や、ペプチドと標的タンパク質の反応性等に応じて適宜設定されるが、例えば、１ｆｍｏｌ（１  ｆｅｍｔｏ  ｍｏｌ）〜１０００ｎｍｏｌ程度、好ましくは０．０１ｐｍｏｌ−１０００ｐｍｏｌ程度である。
また、ペプチドの基板への結合は、物理吸着によっても行うことができる。この場合、ペプチドの固定化は、ペプチドを緩衝液中に溶解した溶液と担体とを接触させることにより行うことができる。この場合、固定化化反応は、従来と同様、例えば室温で１５分間〜２時間程度、４℃なら一夜程度で行うことができる。また、固定化に用いるペプチド溶液の濃度は、ペプチドの種類や測定すべき検体中の物質の種類や濃度に応じて適宜選択することが可能であり、例えば、１ｎｇ／ｍｌ〜１００μｇ／ｍｌ程度を例示することができる。
ペプチドを基板に結合した後、アミノ酸の側鎖の官能基を脱保護する。脱保護の方法も周知であり、例えば、文献例えば、軒原清史、有機合成化学協会誌、５２，３４７−３５８，１９９４、「高効率ペプチド合成：多種品目同時自動合成とペプチドライブラリー」；軒原清史、横溝義男、島津評論、５２、１−８、１９９５、「Ｆｍｏｃ−ｔＢｕストラテジーによる合成ペプチドの切り出し法」；軒原清史、島津評論、５０，１３−２４，１９９３，「高効率ペプチド固相法合成のための試薬」；軒原清史、山本林太郎、狭間  一、中村伸、島津評論、５０，３３−４３，１９９３「実用的多種品目自動ペプチド合成機ＰＳＳＭ−８の開発」；Ｋ．Ｎｏｋｉｈａｒａ，Ｒ．Ｙａｍａｍｏｔｏ，Ｍ．Ｈａｚａｍａ，Ｏ．Ｗａｋｉｚａｗａ，Ｓ．Ｎａｋａｍｕｒａ，ａｎｄ  Ｍ．Ｙａｍａｇｕｃｈｉ，Ｐｅｐｔｉｄｅ  Ｃｈｅｍｉｓｔｒｙ  １９９１，ｅｄ．，Ａ．Ｓｕｚｕｋｉ，Ｐｒｏｔｅｉｎ  Ｒｅｓｅａｒｃｈ  Ｆｏｕｎｄａｔｉｏｎ，Ｏｓａｋａ，２０３−２０８，１９９２，″Ｄｅｖｅｌｏｐｍｅｎｔ  ａｎｄ  Ａｐｐｌｉｃａｔｉｏｎｓ  ｏｆ  ａ  Ｎｏｖｅｌ  ａｎｄ  Ｐｒａｃｔｉｃａｌ  Ｓｉｍｕｌｔａｎｅｏｕｓ  Ｍｕｌｔｉｐｌｅ  Ｓｏｌｉｄ  Ｐｈａｓｅ  Ｐｅｐｔｉｄｅ  Ｓｙｎｔｈｅｓｉｚｅｒ″；Ｃｈａｎ，Ｗ．Ｃ．；Ｗｈｉｔｅ，Ｐ．Ｄ．Ｆｍｏｃ  Ｓｏｌｉｄ  Ｐｈａｓｅ  Ｐｅｐｔｉｄｅ  Ｓｙｎｔｈｅｓｉｓ：Ａ  Ｐｒａｃｔｉｃａｌ  Ａｐｐｒｏａｃｈ；Ｏｘｆｏｒｄ  Ｕｎｉｖｅｒｓｉｔｙ  Ｐｒｅｓｓ：Ｎｅｗ  Ｙｏｒｋ，２０００；ｐｐ  ４１−７６．等に記載されている脱保護の手法を用いること等により容易に行うことができる。一般に固相合成法におけるクリーベイジの手法（樹脂からのペプチドの切断と同時に側鎖脱保護を行う手法）がそのまま使える。当該ペプチド固定化基板のクリーベイジ条件での反応ではペプチドが基板から切断されることは無い。
本発明のペプチド固定化基板では、１枚の基板上に複数種類のペプチドを、それぞれ特定の領域に固定化することが好ましい。そうすることによって、検体中の複数の標的タンパク質を同時に測定することができる。ペプチドの種類の数は、何ら限定されないが、通常、１枚の基板上に１００〜１００００種類、特には１０００〜３０００種類程度のペプチドを固定化することが好ましい。なお、基板としては、化学合成ペプチドを結合できるものであるなら何ら限定されるものではなく、例えば従来のＤＮＡチップ等と同様な、スライドガラスのようなガラス基板を用いることができる。また、基板上に微小な凹部や溝を形成したものであってもよいし、マイクロプレートのウェル等も基板として利用することができる。マイクロプレートのウェルを基板として利用する場合には、各ウェルの内壁がそれぞれペプチド固定化基板を構成する。なお、ペプチドを物理吸着により固定化する場合には、ペプチド溶液を注入することができるように、基板としてはマイクロプレートのウェルや、スライドガラス等のチップに設けた溝や穴等の凹部を用いることが好ましい。物理吸着でペプチドを固定化する場合に凹部を基板として利用すると、標的タンパク質との反応時に、固定化したペプチドの一部が溶液中に溶出しても問題なく測定を行うことができる。
本発明のペプチド固定化基板は、標的タンパク質の測定に用いることができる。ここで、「測定」には検出と定量の両者が包含される。
標的タンパク貿の測定は、標的タンパク質を含むかもしれない検体をペプチド固定化基板上に添加し、反応させた後、チップを洗浄し、信号を測定することにより行うことができる。検体との反応は、特に限定されないが、通常、４℃〜４０℃で１分間〜３時間程度、好ましくは、室温で１分間〜１５分間程度行われる。
検体としては、何ら限定されるものではなく、動物細胞破壊液、植物細胞破壊液、菌体破壊液、ウイルス破壊液、および各分画成分、血液、血清、血漿、尿、便、唾液、組織液、髄液等の体液や、各種食品、飲料等を挙げることができるがこれらに限定されるものではない。
本発明のペプチド固定化基板を用いることにより、標的タンパク質を正確、かつ、簡便に測定することができる。
なお、本発明のペプチド固定化基板は、所期の標的タンパク質の測定に用いることができるだけではなく、未知の標的タンパク質のスクリーニングにも用いることができる。すなわち、特定の立体構造をとり得る基本的なオリゴペプチドの種類の数は１０種程度と考えられるが、それらペプチドの構成アミノ酸側鎖のサイズや酸性度、塩基性度、芳香族性、脂肪族性などの組み合せから基本的なペプチドとして約３０００程度と考えられる。従って、これらの３０００種類のペプチドをそれぞれ化学合成して本発明のペプチド固定化基板を作製し、これに種々のタンパク質を反応させる。そうすることによって、どのようなタンパク質がどのような立体構造のペプチドと結合するかを調べることができる。その結果をデータベース化していけば、極めて多種類のタンパク質を測定することができるようになり、これは各種疾病の診断や新薬の開発等に大いに貢献するものと考えられる。さらに非天然アミノ酸等の組み込みによる多様性も含めるとオリゴペプチドの種類は１００万種を越える。これらの多くの種類のペプチドによって認識の種類をさらに細分化することが可能となり、診断などに用いた場合の精度は向上すると考えられる。
上記した本発明の方法を、複数の化学合成ペプチドについて行い、各ペプチドについて測定した値に応じて違いが肉眼で認識できるデータに変換し、各ペプチドについての視認可能なデータを並べて出力することにより、容易、簡便に被検試料中のタンパク質を測定することができ、また、未知の被検試料中に含まれるタンパク質の同定又は特徴付が可能となる。
ここで、肉眼で認識できるデータの好ましい例として、色相、明度及び／又は彩度等の色に関する物理量を挙げることができ、各ペプチドについての前記測定値に応じて肉眼で色の違いが認識できることが好ましい。これにより、各測定値を肉眼で識別可能になり、それらを並べて出力する。このようにすることにより、各ペプチドについての測定値によって、色模様が形成される。基板に固相化される化学合成ペプチドの数を大きくすれば、この色模様は、各被検試料について固有のものとなり、あたかもフィンガープリント（指紋）として機能する（以下、肉眼で認識可能なデータに変換することを含む本発明の方法を、便宜的に「フィンガープリント法」と言うことがある）。
種々の数値の差を、視認可能なデータにする作業は、市販のコンピューターソフトウェアを用いて容易に行うことができる。すなわち、データ整理のために、数値の差を視認可能にする、データ整理ソフトが市販されており、例えば、Ｉｇｏｒ  Ｐｒｏ  ｖｅｒ．４．０４（ＷａｖｅＭｅｔｒｉｃｓ，Ｉｎｃ．より市販）を一例として挙げることができる。このようなデータ整理ソフトを用いると、例えば、固相化された化学合成ペプチドと反応前後の蛍光強度の変化率を測定値としてソフトに入力することにより、例えばこの変化率が大きいほど黄色がかった色が出力されるようにすることができる（どのような色にするかはソフトで選択可能）。そして、各測定値に対応する色は、並べて出力されるようになっている。従って、各被検試料について、カラーの縞模様が得られることになる。このカラーの縞模様は、被検試料中に含まれるタンパク質の種類や量に応じて固有のものとなるので、フィンガープリントとして未知の試料中に含まれるタンパク質の同定や特徴付け（特徴ないしは性質を判定したり、同定したりさらには含有量の推定等）が可能になる。
この方法の場合、被検試料中に標的タンパク質が複数含まれていてもよい。複数の標的タンパク質が含まれる場合でも、標的タンパク質の種類や量に応じて固有の色模様が出力されるので、試料のフィンガープリントとして利用できる。また、この場合には、各標的タンパク質と結合する各化学合成ペプチドが基板に固相化されていることが好ましい。もっとも、複数の標的タンパク質のうち、１又は２以上のものと結合する化学合成ペプチドが存在しない場合でも、それに応じた色模様が形成されるので必ずしも支障はない。
フィンガープリント法の場合、化学合成ペプチドとして、標的タンパク質と結合する可能性がある（すなわち結合しない可能性もある）ものも基板に固相化しておくことができる。例えば、下記実施例に記載するように、各ペプチドの一部にランダムな領域を含めた化学合成ペプチドを固相化してもよい。このような場合、どのペプチドがどのような標的タンパク質と結合するのか不明であるが、ともかく、被検試料中に含まれる標的タンパク質の種類や量に応じて固有の色模様が出力されるので、試料のフィンガープリントとして利用できる。
フィンガープリント法により、化学合成ペプチドが固相化された同一の基板を用いて多数の被検試料について測定を行い、出力された測定データを蓄積してデータベース化し、未知試料についての測定データを、データベース化された測定データと比較することにより未知試料の同定又は特徴付けが可能になる。
フィンガープリント法も、基本的に上記したペプチド固定化基板を用いた本発明の方法の一態様であるから、化学合成ペプチドやその標識、結合方法、被検試料、反応条件などの説明は、全て上記の記述があてはまる。
実施例
以下、本発明を実施例に基づきより具体的に説明する。もっとも、本発明は下記実施例に限定されるものではない。
実施例１
図３に模式的に示すように、αヘリックス構造をとるペプチドの両端部を異なる蛍光標識で標識したペプチドを基板に結合したペプチドチップを用いてカルモジュリンを測定した。これらは具体的に次のようにして行った。
αヘリックス構造を形成するペプチドのコア領域配列は、文献（Ｋ．Ｔ．Ｏ’Ｎｅｉｌ  ａｎｄ  Ｗ．Ｆ．ＤｅＧｒａｄｏ，Ｔｒｅｎｄ  Ｂｉｏｃｈｅｍ  Ｓｃｉ，１５，５９−６４（１９９０））のペプチドのアミノ酸配列を参考にし、コンピュータを用いた分子モデリング（米国Ｍｏｌｅｃｕｌａｒ  Ｓｉｍｕｌａｔｉｏｎ社，Ｉｎｓｉｇｈｔ  ＩＩ／  Ｄｉｓｃｏｖｅｒを用いた分子モデリング）を用いて設計した。その結果、コア領域のアミノ酸配列は、Ｌｅｕ−Ｌｙｓ−Ｌｙｓ−Ｌｅｕ−Ｌｅｕ−Ｌｙｓ−Ｌｅｕ−Ｌｅｕ−Ｌｙｓ−Ｌｙｓ−Ｌｅｕ−Ｌｅｕ−Ｌｙｓ−Ｌｅｕ−とした。この配列に固定化のアンカーのためのＣｙｓ残基、蛍光標識をした残基としてＧｌｕ（Ｒｆ１），Ｌｙｓ（Ｒｆ２）あるいはＬｙｓ（Ｒｆ３）をそれぞれ追加しＣｙｓ−Ｇｌｕ（Ｒｆ１）−Ｌｅｕ−Ｌｙｓ−Ｌｙｓ−Ｌｅｕ−Ｌｅｕ−Ｌｙｓ−Ｌｅｕ−Ｌｅｕ−Ｌｙｓ−Ｌｙｓ−Ｌｅｕ−Ｌｅｕ−Ｌｙｓ−Ｌｅｕ−Ｌｙｓ（Ｒｆ２）−ＮＨ２あるいはＧｌｕ（Ｒｆ１）−Ｌｅｕ−Ｌｙｓ−Ｌｙｓ−Ｌｅｕ−Ｌｅｕ−Ｌｙｓ−Ｌｅｕ−Ｌｅｕ−Ｌｙｓ−Ｌｙｓ−Ｌｅｕ−Ｌｅｕ−Ｌｙｓ−Ｌｅｕ−Ｌｙｓ（Ｒｆ２）−Ｃｙｓ−ＮＨ２あるいはＬｙｓ（Ｒｆ３）−Ｌｅｕ−Ｌｙｓ−Ｌｙｓ−Ｌｅｕ−Ｌｅｕ−Ｌｙｓ−Ｌｅｕ−Ｌｅｕ−Ｌｙｓ−Ｌｙｓ−Ｌｅｕ−Ｌｅｕ−Ｌｙｓ−Ｌｅｕ−Ｃｙｓ−ＮＨ２を合成した。Ｒｆ１，Ｒｆ２，Ｒｆ３はそれぞれ蛍光基団エチルダンシル基、ダプシル基、カルボキシフルオレッセイン基である。グルタミン酸やリシンのアミノ酸の側鎖に蛍光基（図３におけるＡ、Ｂ）を導入した蛍光性アミノ酸誘導体を合成しビルディングブロックとして合成に用いた。ダブシル基のついたカルボン酸をジイソプロピルカルビジイミドを用いてＮ−ヒドロキシスクシンイミド活性エステル誘導体に導いた。Ｆｍｏｃ−Ｌｙｓ−ＯＨ（スイスＮｏｖａｂｉｏｃｈｅｍ社、製品番号＃０４−１２−１０４２）の側鎖アミノ基と上記活性エステルとを常法にしたがってジメチルホルムアミド中、室温で、一夜撹拌したのち、反応混合物を濃縮、エーテルで沈殿させて蛍光標識（図３におけるＢ）をしたＦｍｏｃ−Ｌｙｓ（Ｒｆ２）−ＯＨを得た。収率８０％。（Ｆｍｏｃ：フルオレニルメチルオキシカルボニル）。またグルタミン酸Ｆｍｏｃ−Ｇｌｕ−ＯＢｕｔ（ｔｅｒｔブチルエステル）（スイスＮｏｖａｂｉｏｃｈｅｍ社、製品番号＃０４−１２−１０７５）の側鎖に蛍光基（図３におけるＡ、エチルダンシル基）を導入した蛍光性アミノ酸Ｆｍｏｃ−Ｇｌｕ（Ｒｆ１）−ＯＨを合成した。すなわちＦｍｏｃ−Ｇｌｕ−ＯＢｕｔの側鎖カルボン酸とエチルダンシルとをジオキサン−水（３：１）中で水溶性カルボジイミドにより縮合後、トリフルオロ酢酸によりｔｅｒｔブチルエステルを除去し、Ｆｍｏｃ−グルタミン酸エチルダンシルを合成した。収率６０％。さらに、カルボキシフルオレッセインをジイソプロピルカルビジイミドを用いてＮ−ヒドロキシスクシンイミド活性エステル誘導体に導き、Ｆｍｏｃ−Ｌｙｓ−ＯＨ（スイスＮｏｖａｂｉｏｃｈｅｍ社、製品番号＃０４−１２−１０４２）の側鎖アミノ基と上記活性エステルとを常法にしたがってジメチルホルムアミド中、室温で、一夜撹拌したのち、反応混合物��濃縮、エーテルで沈殿させて蛍光標識をしたＦｍｏｃ−Ｌｙｓ（Ｒｆ３）−ＯＨを得た。収率８５％。
これらをビルディングブロックとして用いて、常法のＦｍｏｃ法による固相ペプチド合成により図のＡ、Ｂ標識付き合成ペプチドを各１５マイクロモルスケールで合成した。すなわち、ＴｅｎｔａＧｅｌ  ＳＲＡＭ、ドイツＲａｐｐ  Ｐｏｌｙｍｅｒｅ社商品番号＃３０−０２３（ポリエチレングリコール鎖付リンクアミド樹脂）を固相担体としてＦｍｏｃ−アミノ酸誘導体を順次縮合させた。具体的には特許第２００７１６５号多種品目同時化学反応装置に記載された方法を用い、市販の島津製作所モデルＰＳＳＭ−８多種品目同時ペプチド合成装置に依って実施した。
基板はアミノプロピルグラス（米国Ｃｏｒｎｉｎｇ社製品番号２５５０）をブロモアセチル化した。すなわち、ブロモ酢酸をジメチルホルムアミドに溶解し、氷冷攪拌下で水溶性カルボジイミド（１．０５当量）を加え２０分後アミノプロピルガラス板を浸し、室温で２時間全体をゆっくりと振とう攪拌したのちガラス板をとりだし、５０％ジメチルホルムアミド水溶液、テトラヒドロフランで洗浄し減圧デシケータ中で乾燥させた。
各合成ペプチド（濃度０．１−１０μＭ）をガラス板上のブロム基と室温で３０分反応させ固定化した。エチルダンシル−ダブシル基を組み合わせた系においては、励起波長３４０ｎｍ、検出波長４８０ｎｍにて蛍光測定を行った。カルモジュリン溶液（トリス緩衝液ｐＨ７．４、１５０ｍＭ  ＮａＣｌ，０．１ｍＭ  ＣａＣｌ２、カルモジュリン濃度：１．０μＭ）を加えていくことにより、約５倍の蛍光強度の増加が蛍光プレートリーダーを用いて測定された。これにより、タンパク質の検出・定量が可能であった。カルボシキシルフルオレセインを含むペプチド系においては、励起波長４９０ｎｍ、検出波長５２０ｎｍの蛍光測定により、タンパク質存在下、約１０倍の強度増加を観測し、タンパク質の検出・定量が可能であった。なお、カルモジュリン溶液と、ペプチドチップとは２５℃で５分間反応させた。
実施例２
図４に模式的に示すように、βループ構造をとるペプチドの一端部を蛍光標識で標識したペプチドを基板に結合したペプチドチップを用いてアミラーゼを測定した。これらは具体的に次のようにして行った。
実施例１と同様にβループ構造を形成するペプチドを文献（Ｆ．Ｊ．Ｂｌａｎｃｏ  ｅｔ  ａｌ．，Ｅｕｒ  Ｊ  Ｂｉｏｃｈｅｍ  ２００，３４５−３５１（１９９１）、Ｓ．Ｏｎｏ  ｅｔ  ａｌ，Ｂｉｏｓｃｉ  Ｂｉｏｔｅｃｈｎｏｌ  Ｂｉｏｃｈｅｍ，６２，１６２１−１６２３（１９９８））のペプチドのアミノ酸配列を参考にし、コンピュータを用いた分子モデリングにより設計した。その結果、コア領域のアミノ酸配列は、Ｔｙｒ−Ｇｌｎ−Ｓｅｒ−Ｔｒｐ−Ａｒｇ−Ｔｙｒ−Ｓｅｒ−Ｇｌｎ−Ａｌａとした。なおこの配列の一端に固定化のアンカー用にＣｙｓ残基を、他の一端に蛍光基Ｒｆ（図４中のカルボキシフルオレセイン等の蛍光基団）を持ったＬｙｓ残基を導入したペプチドを合成した。すなわちその配列はＬｙｓ（Ｒｆ）−Ｔｙｒ−Ｇｌｎ−Ｓｅｒ−Ｔｒｐ−Ａｒｇ−Ｔｙｒ−Ｓｅｒ−Ｇｌｎ−Ａｌａ−Ｃｙｓ−ＮＨ２である。実験例１と同様にアミノ酸の側鎖に蛍光基（カルボキシフルオレセイン基等）を有する蛍光性アミノ酸誘導体をビルディングブロックとして、実施例１と同様にＦｍｏｃ法を用いた固相ペプチド合成法により各１５μｍｏｌスケールにて種々合成した。ペプチド（濃度０．１−１０μＭ）をトリス緩衝液、ｐＨ８．０中実施例１と同様にしてプレート上にチオエーテル結合を介して固定化した。プレート上にチオエーテル結合を介して固定化した。カルボキシフルオレセイン基を用いた場合、励起波長４９０ｎｍ、検出波長５２０ｎｍにて蛍光測定を行った。アミラーゼ溶液（トリス緩衝液ｐＨ７．４、１５０ｍＭ  ＮａＣｌ、アミラーゼ濃度：１．０μＭ）を加えていくことにより、約１０倍の蛍光強度の増加が蛍光プレートリーダーを用いて測定され、アミラーゼの検出・定量が可能であった。なお、アミラーゼ溶液と、ペプチドチップとは２５℃で５分間反応させた。
実施例３    フィンガープリント法
下記に詳述する方法により、Ａｃ−Ｃｙｓ−Ｇｌｕ−Ｔｈｒ−Ｉｌｅ−Ｔｈｒ−Ｖａｌ−Ｘａａ−Ｘａａ−Ｘａａ−Ｘａａ−Ｌｙｓ−Ｔｈｒ−Ｔｙｒ−Ｌｙｓ（Ｆ）−Ｌｙｓ−ＮＨ２（ただし、「Ａｃ」はアセチル基、（Ｆ）は蛍光標識）の配列を有する１２６種類のペプチドを合成し、それぞれ１種類ずつ、マイクロプレートのウェルに固相化した。これを下記に詳述する方法により、１）α−アミラーゼ、２）ウシ血清アルブミン（ＢＳＡ）、３）β−グルコシダーゼ、４）β−ガラクトシダーゼ、５）リゾチーム、６）セルラーゼ、７）β−ラクトグロブリン、８）脱脂アーモンド粉末（タンパク質混合物）、９）１）〜７）混合物、又は１０）大腸菌細胞の溶解物（ｃｅｌｌ  ｌｙｓａｔｅ）を反応させ、反応前後の蛍光強度を測定した。蛍光強度の変化率をＩｇｏｒ  Ｐｒｏ  ｖｅｒ．４．０４（ＷａｖｅＭｅｔｒｉｃｓ，Ｉｎｃ．より市販）に入力し、各数値に対応した色（数値が高い程黄色い色になる）を並べて出力した。
その結果、各被検試料に特徴的なカラーの縞模様が得られた。縞模様は、横軸にペプチド番号をとり、１つのペプチドについての横幅を約１．５ｍｍ（従って、１２６個のペプチド全部では１．５ｘ１２６＝１８９ｍｍ）、縦を約５ｍｍとした全体として横長の長方形状であり、各ペプチドの領域（幅１．５ｍｍ  ｘ縦５ｍｍの長方形）が、蛍光強度の変化率に応じた色に着色され、かつ、各ペプチドの領域が隣接して配置されて全体としてカラーの縞模様を形成しているものである。
なお、上記配列中の−Ｘａａ−Ｘａａ−Ｘａａ−Ｘａａ−で示される領域の具体的なアミノ酸配列は下記表２に示す通りであった。
2002090985.tif 000006
実施例３の詳細な手順
試薬及び装置
全ての薬品及び溶媒は、試薬又はＨＰＬＣグレードであり、さらに精製することなく用いた。ペプチド合成に用いたジメチルホルムアミド（ＤＭＦ）は、０．４ｎｍのモレキュラーシーブで一夜処理してから合成に用いた。Ｆｍｏｃで保護されたアミノ酸誘導体は、渡辺化学株式会社、スイスＮｏｖａｂｉｏｃｈｅｍ社、あるいは島津総合科学研究所から入手し用いた。側鎖の保護基として、以下の各基を以下のアミノ酸の保護に用いた。
アセタミドメチル（Ａｃｍ）又はトリフェニルメチル（Ｔｆｔ）：Ｃｙｓ
ｔ−ブチル（ｔＢｕ）：Ａｓｐ，Ｇｌｕ，Ｔｈｒ，Ｔｙｒ，Ｓｅｒ
Ｔｒｔ：Ａｓｎ，Ｇｌｎ，Ｈｉｓ
ｔ−ブチロキシカルボニル（Ｂｏｃ）又は４−メチルトリチル（Ｍｔｔ）：Ｌｙｓ
２，２，４，６，７−ペンタメチルジヒドロベンゾフラン−５−スルホニル（Ｐｂｆ）：Ａｒｇ
ペプチドは、Ｆｍｏｃケミストリーによる固相ペプチド合成法により合成した。
ＨＰＬＣは、日立Ｄ７５００  Ｃｈｒｏｍａｔｏ−Ｉｎｔｅｇｒａｔｏｒと、分析のためのカラム和光純薬工業  Ｗａｋｏｓｉｌ  ５Ｃ１８（４．６ｘ１５０ｍｍ）若しくは精製のためのカラムＹＭＣ社ＯＤＳ  Ａ  ３２３（１０ｘ２５０ｍｍ）を用いた日立Ｌ７４００  ＵＶ−ＶＩＳ  Ｄｅｔｅｃｔｏｒとから成るシステム、又はインタクト社カラムＣａｄｅｎｚａ  ＣＤ−Ｃ１８  ｃｏｌｕｍｎ（４．６ｘ５０ｍｍ）を用いた島津ＬＣ２０１０Ｃシステム上で、アセトニトリル／０．１％トリフルオロ酢酸（ＴＦＡ）の直線勾配を用い、流速１．０ｍＬ／分で行った。
ＭＡＬＤＩ−ＴＯＦＭＳは、Ｓｈｉｍａｄｚｕ  ＫＯＭＰＡＣＴ  ＭＡＬＤＩ  ＩＩＩ質量分析器上で、３，５−ジメトキシ−４−ヒドロキシシンナミル酸（ＳＡ）又はα−シアノ−４−ヒドロキシシンナミル酸（ＣＨＣＡ）をマトリックスとして用いて行った。ペプチド含量検定のアミノ酸分析は、密閉管内において、６Ｍ  ＨＣｌで１１０℃で２４時間加水分解し、フェニルイソシアネート（ＰＩＴＣ）で標識した後、和光純薬工業  Ｗａｋｏｐａｋ  ＷＳ−ＰＴＣ  ｃｏｌｕｍｎ（４．０ｘ２００ｍｍ）を用いて行った。
１５−２３配列を有するペプチドの合成
ペプチド鎖の構築：  ペプチドは、ＮｏｖａＳｙｎ  ＴＧＲ樹脂（Ｎｏｖａｂｉｏｃｈｅｍ，０．１５ｍｍｏｌ／ｇ）上で固相合成した。Ｆｍｏｃ−Ｔｙｒ（ｔＢｕ）−Ｇｌｎ（Ｔｒｔ）−Ｓｅｒ（ｔＢｕ）−Ｔｒｐ−Ａｒｇ（Ｐｂｆ）−Ｔｙｒ（ｔＢｕ）−Ｓｅｒ（ｔＢｕ）−Ｇｌｎ（Ｔｒｔ）−Ａｌａ−Ｃｙｓ（Ａｃｍ）−樹脂（Ｆｍｏｃ（１５−２３）Ａｃｍ−ｒｅｓｉｎ）と、Ｆｍｏｃ−Ｔｙｒ（ｔＢｕ）−Ｇｌｎ（Ｔｒｔ）−Ｓｅｒ（ｔＢｕ）−Ｔｒｐ−Ａｒｇ（Ｐｂｆ）−Ｔｙｒ（ｔＢｕ）−Ｓｅｒ（ｔＢｕ）−Ｇｌｎ（Ｔｒｔ）−Ａｌａ−ｃｙｓ（Ｔｒｔ）−樹脂（Ｆｍｏｃ（１５−２３）Ｔｒｔ−ｒｅｓｉｎ）と、Ｆｍｏｃ−Ｔｙｒ（ｔＢｕ）−Ｇｌｎ（Ｔｒｔ）−Ｓｅｒ（ｔＢｕ）−Ｔｒｐ−Ａｒｇ（Ｐｂｆ）−Ｔｙｒ（ｔＢｕ）−Ｓｅｒ（ｔＢｕ）−Ｇｌｎ（Ｔｒｔ）−Ａｌａ−Ｌｙｓ（Ｍｔｔ）−樹脂（Ｆｍｏｃ（１５−２３）Ｍｔｔ−ｒｅｓｉｎ）は、Ａｄｖａｎｃｅｄ  ＣｈｅｍＴｅｃｈ  Ｍｏｄｅｌ  ３４８  ＭＰＳペプチド合成機で合成した。Ｆｍｏｃ−アミノ酸（６当量（以下、当量を「ｅｑ．」と表すことがある）），２−（１Ｈ−ベンゾトリアゾール−１−イル）−１，１，３，３−テトラメチルウロニウムヘキサフルオロホスフェート（ＨＢＴＵ，６ｅｑ．），ＨＯＢｔ・Ｈ２Ｏ（６ｅｑ．）及びＮＭＰ中ＤＩＥＡ（１２ｅｑ．）をアミノ酸の結合に用い（３０分間、２回）、Ｆｍｏｃの除去のためにＮＭＰ中２５％ピペリジンを用いた。ペプチドレジンの洗浄等にはＤＭＦを用いた。
フルオレッセイン部分により標識されたペプチド、Ｆ（１５−２３）Ａｃｍ  ａｎｄ  Ｆ（１５−２３）ＳＨ
Ｆｍｏｃ（１５−２３）Ａｃｍ−ｒｅｓｉｎ又はＦｍｏｃ（１５−２３）Ｔｒｔ−ｒｅｓｉｎを２０％（ｖ／ｖ）ピペリジン／ＮＭＰで処理してＦｍｏｃ基を除去した。次いで、５（６）−ＦＡＭ（１．５ｅｑ．），ＨＢＴＵ（１．５ｅｑ．），ＨＯＢｔ・Ｈ２Ｏ（１．５ｅｑ．）及びＤＭＦ中ＤＩＥＡ（３ｅｑ．）を用い（１．５時間ｘ２又は２．５時間ｘ１）、５（６）−カルボキシフルオレッセイン（５（６）−ＦＡＭ，Ｍｏｌｅｃｕｌａｒ  ｐｒｏｂｅｓ，Ｉｎｃ．）をペプチドのＮ末端に結合した。樹脂及びＡｃｍ以外の保護基は、室温下、ＴＦＡ／ｍ−クレゾール／エタンジオール／チオアニソール（４０／１／３／３，ｖ／ｖ）で１時間処理することにより除去した。ペプチドは、逆相ＨＰＬＣで精製し、ＭＡＬＤＩ−ＴＯＦＭＳで分析した。Ｆ（１５−２３）Ａｃｍ  ｍ／ｚ  １７２１．４（［Ｍ＋Ｈ］＋ｃａｌｃｄ．１７２１．８）；Ｆ（１５−２３）ＳＨ  １６４９．４（１６４９．７）．
ダンシル部分により標識されたペプチド、Ｄ（１５−２３）Ａｃｍ  ａｎｄ  Ｄ（１５−２３）ＳＨ
Ｆｍｏｃ（１５−２３）Ａｃｍ−ｒｅｓｉｎ又はＦｍｏｃ（１５−２３）Ｔｒｔ−ｒｅｓｉｎを２０％（ｖ／ｖ）ピペリジン／ＮＭＰで処理してＦｍｏｃ基を除去した。ＤＭＡ中５−ジメチルアミノナフタレン−１−スルホニルクロリド（ダンシルＣｌ，３−６ｅｑ．）２〜３時間用いて、ダンシル部分をペプチドのＮ末端に導入した。フルオレッセイン標識ペプチドの場合と同じ方法により、ペプチドを樹脂から切り出し、Ａｃｍ以外の全ての保護基を除去した。ペプチドは、逆相ＨＰＬＣで精製し、ＭＡＬＤＩ−ＴＯＦＭＳで分析した。Ｄ（１５−２３）Ａｃｍ  ｍ／ｚ  １５９６．３（［Ｍ＋Ｈ］＋ｃａｌｃｄ．１５９６．８）；Ｄ（１５−２３）ＳＨ  １５２５．９（１５２５．７）．
フルオレッセイン及びＥＤＡＮＳ基により標識されたペプチド、Ｆ（１５−２３）ＥＤ
Ｆｍｏｃ（１５−２３）Ｔｒｔ−ｒｅｓｉｎを２０％（ｖ／ｖ）ピペリジン／ＮＭＰで処理してＦｍｏｃ基を除去した。５（６）−カルボキシフルオレッセインスクシンイミジルエステル（５（６）−ＦＡＭ，ＳＥ，Ｍｏｌｅｃｕｌａｒ  ｐｒｏｂｅｓ，Ｉｎｃ．，１．２ｅｑ．）及びＤＭＦ中ＤＩＥＡ（２ｅｑ．）を７時間用いてペプチドのＮ末端にフルオレッセイン部分を導入した。フルオレッセイン標識ペプチドの場合と同じ方法により、ペプチドを樹脂から切り出し、全ての保護基を除去し、逆相ＨＰＬＣで精製した。得られたペプチドを、１００ｍＭ  Ｔｒｉｓ−ＨＣｌ（ｐＨ７．４）に溶解し、Ｎ−（ヨードアセトアミノエチル）−１−ナフチルアミン−５’−スルホニック（ＩＡＥＤＡＮＳ，Ｒｅｓｅａｒｃｈ  Ｏｒｇａｎｉｃｓ，３ｅｑ．）のＤＭＦ溶液を加えた。１時間後、反応物質を逆相ＨＰＬＣで精製した。ペプチドをＭＡＬＤＩ−ＴＯＦＭＳで分析した。Ｆ（１５−２３）ＥＤｍ／ｚ  １９５９．２（［Ｍ＋Ｈ］＋ｃａｌｃｄ．１９５６．０）．
クマリン部分により標識されたペプチド、Ｈ（１５−２３）Ｃ、及びクマリンとフルオレッセイン部分により標識されたペプチドＦ（１５−２３）Ｃ
Ｆｍｏｃ（１５−２３）Ｍｔｔ−ｒｅｓｉｎをＣＨＣｌ３（４回）及びＤＣＭ（１回）で洗浄し、次いでＤＣＭ／ＴＩＳ／ＴＦＡ＝９４／５／１（４〜６回、各２分間）処理してＭｔｔ基を除去した。樹脂をＣＨＣｌ３（５回）及びＮＭＰ（５回）で洗浄した後、７−ジエチルアミノクマリン−３−カルボン酸（Ｆｌｕｋａ，２ｅｑ．），ＨＢＴＵ（２ｅｑ．），ＨＯＢｔ・Ｈ２Ｏ（２ｅｑ．）及びＮＭＰ中ＤＩＥＡ（４ｅｑ．）を３０分間（２回）用いて、Ｌｙｓ残基の側鎖アミノ基にクマリン部分を導入した。次いで、２０％（ｖ／ｖ）ピペリジン／ＮＭＰで処理してペプチドのＦｍｏｃ基を除去し、フルオレッセイン標識ペプチドの場合と同じ方法によりフルオレッセイン部分をペプチドのＮ末端に導入した。上記した方法により、ペプチドを樹脂から切り出し、全ての保護基を除去した。ペプチドは、逆相ＨＰＬＣで精製し、ＭＡＬＤＩ−ＴＯＦＭＳで分析した。Ｈ（１５−２３）Ｃ  ｍ／ｚ  １５５９．７（［Ｍ＋Ｈ］＋ｃａｌｃｄ，１５５９．７）；Ｆ（１５−２３）Ｃ  １９１９．３（１９１８．０）．
設計されたループ配列を有するペプチドの合成
ペプチドは、Ｒｉｎｋ  ａｍｉｄｅ  ＳＳ  ｒｅｓｉｎ（Ａｄｖａｎｃｅｄ  ＣｈｅｍＴｅｃｈ，０．６ｍｍｏｌ／ｇ）上で固相合成した。Ｆｍｏｃ−Ｃｙｓ（Ｔｒｔ）−Ｇｌｕ（ＯｔＢｕ）−Ｔｈｒ（ｔＢｕ）−Ｉｌｅ−Ｔｈｒ（ｔＢｕ）−Ｖａｌ−Ｓｅｒ（ｔＢｕ）−Ｔｒｐ−Ａｒｇ（Ｐｂｆ）−Ｔｙｒ（ｔＢｕ）−Ｌｙｓ（Ｂｏｃ）−Ｔｈｒ（ｔＢｕ）−Ｔｙｒ（ｔＢｕ）−Ｌｙｓ（Ｍｔｔ）−Ｌｙｓ（Ｂｏｃ）−ｒｅｓｉｎ（Ｆｍｏｃ−Ｌｏｏｐ１（Ｍｔｔ）−ｒｅｓｉｎ）は、上記した方法により、Ａｄｖａｎｃｅｄ  ＣｈｅｍＴｅｃｈ  Ｍｏｄｅｌ  ３４８  ＭＰＳペプチド合成機で合成した。それぞれのペプチド−樹脂は、ＣＨＣｌ３（４回）及びＤＣＭ（１回）で洗浄し、次いで、ＤＣＭ／ＴＩＳ／ＴＦＡ＝９４／５／１（４〜６回、各２分間）処理してＭｔｔ基を除去した。樹脂をＣＨＣｌ３（５回）及びＤＭＦ（５回）で洗浄した後、５（６）−ＦＡＭ，ＳＥ（３ｅｑ．）及びＤＩＥＡ（１．５ｅｑ，）を一夜用いて、５（６）−ＦＡＭ，ＳＥをＬｙｓ残基の側鎖アミノ基に結合した。上記した方法により、ペプチドを樹脂から切り出し、全ての保護基を除去した。ペプチドは、逆相ＨＰＬＣで精製し、ＭＡＬＤＩ−ＴＯＦＭＳで分析した。Ｌｏｏｐ１  ｍ／ｚ  ２３０６．９（［Ｍ＋Ｈ］＋計算値２３０６．６）；
蛍光分析
蛍光スペクトルは、１０ｍｍの経路長を有する石英セルを用い、温度調節器を具備する日立ｆｌｕｏｒｅｓｃｅｎｃｅ  ｓｐｅｃｔｒｏｐｈｏｔｏｍｅｔｅｒ  ８５０で記録した。全ての測定は、２５℃で、２０ｍＭ  Ｔｒｉｓ−ＨＣｌ（ｐＨ７．４）又は１５０ｍＭ  ＮａＣｌ含有２０ｍＭ  Ｔｒｉｓ−ＨＣｌ（ｐＨ７．４）中で行った。
円二色性分析
円二色性分析は、１ｍｍの経路長を有する石英セルを用い、温度調節器を具備する日本分光Ｊ−７２０ＷＩ分光偏光計で行った。全ての測定は、２５℃で、１５０ｍＭＮａＣｌ含有２０ｍＭ  Ｔｒｉｓ−ＨＣｌ（ｐＨ７．４）中で行った。
ペプチドライブラリーの構築
デザインしたペプチド合成は島津総合科学研究所の多種品目同時合成器、モデルＳＲＭ９６を用いて実施した。合成法は同社のマニュアル並びに下記の論文に基づいて行った。
文献：  安原義、軒原清史、古庄律、片岡榮子、東農大農学集報，４３，２６０−２６７，１９９９
合成トリペプチドライブラリーの構築と抗酸化活性ペプチドの高効率スクリーニング
６３種類のペプチドおよびＬｏｏｐ構造を有する天然のペプチドの一部分ＳＷＲＹ配列を有する合計６４種ペプチドを同時に合成した。
４−（２’，４’−ｄｉｍｅｔｈｏｘｙｐｈｅｎｙｌ−Ｆｍｏｃ−ａｍｉｎｏｍｅｔｈｙｌ）ｐｈｅｎｏｘｙａｃｅｔａｍｉｄｏ−ｎｏｒｌｅｕｓｙｌ−ＭＢＨＡ  ｒｅｓｉｎ（Ｒｉｎｋ  ａｍｉｄｅ  ＭＢＨＡ  ｒｅｓｉｎ）を出発物質、固相担体とし、Ｃ末端部分の共通部分の配列はまとめてＢｉｇ  ＬｉｂｒａＴｕｂｅ（島津総合科学研究所製ＲＴ２０を用いてペプチド鎖の伸長を行った。その後乾燥レジンをＳＲＭ９６の各マイクロチューブリアクターに分配し、Ｎ末端側のアミノ酸の導入を行った。ペプチド結合生成反応は、軒原らの高効率合成プロトコル等２５項に記載した論文に基づいて実施した。すなわちＨＢＴＵ（１０ｅｑ．），ＨＯＢｔ・Ｈ２Ｏ（１０ｅｑ．）、ＤＩＥＡ（１２ｅｑ．）．保護アミノ酸（１０ｅｑ）をアシル成分として反応させた。目的とする保護ペプチドレジンの側鎖（イプシロン位）のＭｔｔ基を、特異的に蛍光標識するために除去した。すなわちＤＣＭ／ＴＩＳ／ＴＦＡ＝９４／５／１でペプチドレジンを洗浄（２０ｍｉｎ）した。５（６）−ＦＡＭ（６ｅｑ．）ｗｉｔｈ  ＨＢＴＵ（６ｅｑ．），ＨＯＢｔ・Ｈ２Ｏ（６ｅｑ．）ａｎｄ  ＤＩＥＡ（９ｅｑ．），あるいは５（６）−ＦＡＭ（５ｅｑ．）０−（７−ａｚａｂｅｎｚｏｔｒｉａｚｏｌ−１−ｙｌ）−１，１，３，３−ｔｅｔｒａｍｅｔｈｙｌｕｒｏｎｉｕｍ  ｈｅｘａｆｌｕｏｒｏｐｈｏｓｐｈａｔｅ（ＨＡＴＵ，５ｅｑ，）ＤＩＥＡ（６ｅｑ．）．によって蛍光基を活性化してペプチドレジンへ導入した。反応はきわめて特異的完結したことが切断後のペプチドの検定で証明された。
レジンからのペプチド鎖の切断を行った。これを業界ではクリーベイジと称する。合成した標識保護ペプチドレジンをクリーベイジカクテルＴＦＡ／ｍ−ｃｒｅｓｏｌ／ｅｔｈａｎｅｄｉｔｉｏｌ／ｔｈｉｏａｎｉｓｏｌｅ（４０／１／３／３，ｖ／ｖ）で定法により処理した。６４種のペプチドのために約２０ｍＬのカクテルを使用した。ＳＲＭ９６のガラスプレートにろ液を集めるため、カクテルを３０分かけて滴下しさらに６０分放置ごカクテルを追加してレジンをリンスした。ガラスプレート中のろ液（ペプチド入りカクテル）を窒素を吹き付けることで濃縮しジエチルエーテルを加えて目的のペプチドを沈殿させた。沈殿と溶液を１．５ｍＬのポリプロピレンチューブに移し遠心して沈殿を単離した。沈殿は５回ジエチルエーテルで洗浄した後そのまま減圧遠心乾燥した。
粗ペプチドはＳｅｐｈａｄｅｘ  Ｇ−１０（Ｐｈａｒｍａｃｉａ）を用い１０％（ｖ／ｖ）酢酸で溶出させるゲル濾過で精製した。（約１００マイクロＬ／ｔｕｂｅ）．蛍光標識ペプチドは色が付いているため目視で容易に目的とする分画を得た。この溶液を減圧遠心乾固下。残存酢酸は水を加え凍結乾燥で除去した。得られたペプチドは２００マイクロＬのメタノールに溶解しストック溶液とし、密栓して４℃で保管した。
９６−ｗｅｌｌ  プレートの吸光度測定
標識ペプチドストック溶液の濃度測定は４９０ｎｍでＢｅｎｃｈｍａｒｋ  Ｍｕｌｔｉｐｌａｔｅ  Ｒｅａｄｅｒ（Ｂｉｏ−Ｒａｄ  Ｌａｂｏｒａｔｏｒｉｅｓ社）実施した。用いたプレートは（旭テクノグラス、アッセイプレート）である。ペプチドはメタノールに溶解し、ストック溶液とし、２０ｍＭ  Ｔｒｉｓ−ＨＣｌ  １５０ｍＭ  ＮａＣｌ含有（ｐＨ７．４）で希釈して用いた．濃度計算はアミノ酸分析により、ペプチド量を検定した標準ペプチドと比較することにより求めた。
９６−ｗｅｌｌ  プレートを用いた蛍光測定
マイクロタイタープレート（旭テクノグラス、アッセイプレート）中での溶液状態あるいは固定化された蛍光標識ペプチドの蛍光強度はＰｅｒＳｅｐｔｉｖｅ  Ｂｉｏｓｙｓｔｅｍｓ社のＣｙｔｏＦｌｕｏｒ（登録商標）４０００ＴＲ  ｍｕｌｔｉ−ｗｅｌｌ  ｐｌａｔｅ  ｒｅａｄｅｒを用い３０℃で測定した。  ＥｘｃｉｔａｔｉｏｎおよびＥｍｉｓｓｉｏｎフィルターは４８５／２０と５３０／１０（フルオレセイン標識ペプチド用），３６０／２０と５１５／１０（ダンシル標識ペプチド用），４５０／５０と５３０／１０（クマリンおよびフルオレセイン標識ペプチド用），をそれぞれ用いた。
９６−ｗｅｌｌ  ポリスチレンプレートへのペプチドの固定化
トレシル活性化デキストラン（ＴＡＤ）の合成
デキストラン（１００．０ｍｇ，平均分子量６４，０００−７６，０００，Ｓｉｇｍａ社Ｄ４７５１）を約２０ｍＬの水から凍結乾燥して得たデキストランをヘキサメチルホスホトリアミド（１０ｍＬ）に１１５℃、５０ｍＬ中の丸底フラスコで溶解した。フラスコに塩化カルシウム管を接続した。当該溶液を室温にし２，２，２−ｔｒｉｆｌｕｏｒｏｅｔｈａｎｅｓｕｌｆｏｎｙｌ  ｃｈｌｏｒｉｄｅ（トレシルクロライド，２２０マイクロＬ，２ｍｍｏｌ，Ａｌｄｒｉｃｈ社３２，４７８−７）を攪拌下１分かけて滴下した。１５分後乾燥ピリジン（４４０マイクロＬ，５．４ｍｍｏｌ）を一分かけて滴下添加した。  １５分後  生成物を冷エタノール（約．２０ｍＬ）．で沈殿させ、遠心分離で集めた。沈殿はさらにエタノールで２回洗浄したのち酢酸水（１％  ｖ／ｖ  約１０ｍＬ）に溶解し，凍結乾燥し−２０℃で保存した。．収量１２０．２ｍｇ．これはデキストランの４，５グルコース単位の水酸基の７．４％がトレシル化されたことに相当する。この結果は下記文献記載と同様の結果であった。
文献：Ｋ．Ｇｒｅｇｏｒｉｕｓ，Ｓ．Ｍｏｕｒｉｔｓｅｎ，Ｈ．Ｉ．Ｅｌｓｎｅｒ，Ｊ．Ｉｍｍｕｎｏｌ．Ｍｅｔｈ．，１９９５，１８１，６５−７３．
ブロモアセチル基修飾マイクロタイタープレートの調製：
ポリスチレン製マイクロタイタープレート（旭テクノグラス社製アッセイプレート）に０．０１ｍｇ／ｍＬのポリ−Ｌ−リシン（シグマ社製、Ｐ１２７４、分子量７００００−１５００００）の０．１Ｍ炭酸緩衝溶液（ｐＨ９．６）を１ウェルに１５０マイクロＬずつ加え、室温で２時間または４℃で一夜インキュベートした。このポリ−Ｌ−リシンでコートしたプレートを洗浄緩衝液（１０ｍＭリン酸緩衝液、２．７ｍＭ  ＫＣｌ、５００ｍＭＮａＣｌ、１％（ｖ／ｖ）トリトンＸ−１００、ｐＨ７．２）で４回、水で３回洗浄し、窒素ガスで乾燥した。つぎにポリ−Ｌ−リシンでコートプレートにＴＡＤ（前出）（０．５ｍｇ／ｍＬ）のリン酸緩衝液（１０ｍＭ  ｐｈｏｓｐｈａｔｅ，１５０ｍＭ  ＮａＣｌ，ｐＨ７．２）を１ウェルに１５０マイクロＬずつ加え、４℃で２時間インキュベートした。水洗、乾燥後、ＴＡＤ修飾プレートに１，４−ジアミノブタン（１０ｍＭ）の炭酸緩衝液を１ウェルに１００マイクロＬずつ加え、室温で２時間インキュベートした。水洗後、ブロッキング緩衝液（０．１Ｍ  ２−アミノエタノール水，ｐＨ８．０ＨＣｌで調整）を１ウェルに２００マイクロＬずつ加え、室温で２時間インキュベートした。このアミンで機能化したプレートは洗浄緩衝液（前述）で３回、水で３回洗浄後、窒素ガスで乾燥した。
アミン機能化プレートはブロモ酢酸無水物によりブロモアセチル化した。ブロモ酢酸無水物はブロモ酢酸（０．６Ｍ）をジメチルホルムアミド中、ジイソプロピルカルボジイミド（０．３Ｍ）と６０分間反応させ調製した。このブロモ酢酸無水物をそのまま水で１０ｍＭに希釈し、アミン機能化プレートに１ウェルに１００マイクロＬずつ加え、室温で５時間または４℃で一夜インキュベートした。水で３回洗浄し、ブロモアセチル基修飾マイクロタイタープレートの調製した。ペプチド結合マイクロタイタープレートの調製：
遊離のチオール基を有するペプチドはメタノールに１ｍＭの濃度で溶解し、ストック溶液とした。このペプチド溶液は１００ｍＭトリス緩衝液（ｐＨ８．０）で１０μＭに希釈し、すぐにブロモアセチル基修飾マイクロタイタープレートに１ウェルに１００マイクロＬずつ加え、室温で１０時間インキュベートした後、洗浄緩衝液で４℃で一夜洗浄した。水洗後、窒素ガスで乾燥させペプチド結合マイクロタイタープレートの調製した。本プレートは４℃で保存した。
プレート固定化ペプチドによるタンパク質検出アッセイ：
すべての測定は緩衝液（２０ｍＭ  トリス、１５０ｍＭ  ＮａＣｌ（ｐＨ７．４））中で行った。精製および部分精製タンパク質はシグマ社から購入した。商品番号は以下の通りである；１．α−アミラーゼ  ｆｒｏｍ  Ａｓｐｅｒｇｉｌｌｕｓ  ｏｒｙｚａｅ：Ａ６２１１，２．牛血清アルブミン（ＢＳＡ）：Ａ６７９３，３．β−グルコシダーゼ  ｆｒｏｍ  Ａｌｍｏｎｄｓ：Ｇ０３９５，４．β−ガラクトシダーゼ  ｆｒｏｍ  Ａｓｐｅｒｇｉｌｌｕｓ  ｏｒｙｚａｅ：Ｇ５１６０，５．リゾチーム  ｆｒｏｍ  Ｃｈｉｃｋｅｎ  ｅｇｇ  ｗｈｉｔｅ：Ｌ６８７６，６．セルラーゼ  ｆｒｏｍ  Ａｓｐｅｒｇｉｌｌｕｓ  ｎｉｇｅｒ：Ｃ１１８４，７．β−ラクトグロブリン  ｆｒｏｍ  Ｂｏｖｉｎｅ  ｍｉｌｋ：Ｌ３９０８，８．アーモンド粉（タンパク質混合物）：Ａ３２６５。他使用したタンパク質群は、上記１−７の混合物、大腸菌可溶性タンパク質（細胞破砕液）である。
タンパク質溶液（０．５ｍｇ／ｍＬ）をペプチド結合プレートに１ウェルに１００マイクロＬずつ加え、４０Ｃで２４時間インキュベートした。各ウェルの蛍光強度Ｉはマイクロプレート蛍光リーダー（パーセプティブ社製、ＣｙｔｏＦｌｕｏｒＴＭ）により３０℃で測定した。プレートを水洗後、緩衝液を１ウェルに１００マイクロＬずつ加え、再び参照蛍光強度Ｉｏをマイクロプレート蛍光リーダー（パーセプティブ社製、ＣｙｔｏＦｌｕｏｒＴＭ）により３０℃で測定した。測定は２回以上繰り返し行い、蛍光強度比Ｉ／Ｉｏの平均値を記録した。
大腸菌分解液の調製：
大腸菌Ｅ．ｃｏｌｉ．ＪＡ２２１（Ｆ−，ｈｓｄＲ，ＤｔｒｐＥＳ，ＩｅｕＢ６，ｌａｃＹ，ｒｅｃＡＩ）を培地（１％ｔｒｙｐｔｏｎ，０．５％  ｙｅａｓｔ  ｅｘｔｒａｃｔ，ａｎｄ  １％  ＮａＣｌ（ｗ／ｖ））５ｍｌ中で３７℃一夜、培養した後、４００ｍｌの同じ培地で強攪拌下３７℃一夜、培養した。細胞を遠心機で回収した後、緩衝液（１００ｍＭ  ｐｏｔａｓｓｉｕｍ  ｐｈｏｓｐｈａｔｅ，ｐＨ６．５）に懸濁し、洗浄した。洗浄した細胞を１６ｍｌの同じ緩衝液に懸濁し、氷浴上にて超音波処理し、細胞を破砕した。菌体の堆積物や沈殿物は遠心分離（１２０００ｒｐｍ，２０分）により除去した。得られた溶液の総タンパク質量は３０ｍｇ／ｍＬ（Ｂｉｏ−Ｒａｄ  ＤＣ  Ｐｒｏｔｅｉｎ  Ａｓｓａｙｋｉｔ使用）であった。１０ｍＭ  フッ化フェニルメチル硫酸５ｍＭ  ＥＤＴＡを含む緩衝液で０．８６ｍｇ／ｍＬの濃度に希釈しペプチド固定化プレートで分析した。
蛍光データのフィンガープリント様コンピュータ処理：
プレート固定化ペプチドライブラリにより得られた各タンパク質の蛍光データについて、フィンガープリント様にグラフ化の処理をした。一例として、ソフトウェア  Ｉｇｏｒ  Ｐｒｏ  ｖｅｒ．４．０４（ＷａｖｅＭｅｔｒｉｃｓ，Ｉｎｃ．）を用いて行った例を示す。まず、各ペプチド（１−１２６）をｘ軸とし、ｙ＝１の線を折れ線グラフとしてタンパク質（１．α−アミラーゼ  ｆｒｏｍ  Ａｓｐｅｒｇｉｌｌｕｓ  ｏｒｙｚａｅ、２．牛血清アルブミン（ＢＳＡ），３．β−グルコシダーゼ  ｆｒｏｍ  Ａｌｍｏｎｄｓ，４．β−ガラクトシダーゼ  ｆｒｏｍ  Ａｓｐｅｒｇｉｌｌｕｓ  ｏｒｙｚａｅ，５．リゾチーム  ｆｒｏｍ  Ｃｈｉｃｋｅｎ  ｅｇｇ  ｗｈｉｔｅ，６．セルラーゼ  ｆｒｏｍ  Ａｓｐｅｒｇｉｌｌｕｓ  ｎｉｇｅｒ，７．β−ラクトグロブリン  ｆｒｏｍ  Ｂｏｖｉｎｅ  ｍｉｌｋ，８．アーモンド粉（タンパク質混合物）、９．１−７の混合物、１０．大腸菌可溶性タンパク質（細胞破砕液））の種類分（１０本）表示させた。次に、これらの線をｙ軸をずらして表示させ、それぞれの線に対してｚ軸の値として各タンパク質に対する蛍光応答値（Ｉ／Ｉｏ）を当てはめた。カラーグラデーションはソフトウェアに標準で含まれているパターンのうち、暖色系（ｙｅｌｌｏｗ−ｈｏｔ）というものを用いた。結果として、各タンパク質に対して、ペプチドのアミノ酸配列に依存した特徴的な蛍光応答パターン（タンパク質フィンガープリント）を得ることができ、本パターンからタンパク質を再現性良く特徴化することが可能であった。
【配列表】
2002090985.tif 000007
2002090985.tif 000008
2002090985.tif 000009
【図面の簡単な説明】
図１は、本発明のペプチド固定化基板の概念を模式的に示す図である。
図２は、本発明に用いられるペプチドの一次構造を模式的に示す図である。
図３は、本発明の実施例１で行った測定を模式的に示す図である。
図４は、本発明の実施例２で行った測定を模式的に示す図である。
【図１】
2002090985.tif 000010
【図２】
2002090985.tif 000011
【図３】
2002090985.tif 000012
【図４】
2002090985.tif 000013
【国際調査報告】
2002090985.tif 000014
2002090985.tif 000015
2002090985.tif 000016
2002090985.tif 000017